(57)【要約】【課題】消費電力を抑えつつ、容易かつ確実に外部情報記憶媒体の情報の読み取りまたは書き込みを行うことができる。【解決手段】外部情報記憶媒体Ｍに対する情報読取処理または情報書込処理を行う情報端末装置１であって、少なくとも所定の起動制御指示によって停止状態を含む待機状態から起動状態に移行し、情報端末装置１全体を制御する制御部２と、間欠的に待機状態から起動状態に移行し、該起動状態時に、外部情報記憶媒体Ｍに対する情報読取処理を行い、該情報読取処理によって外部情報記憶媒体Ｍの識別情報を読み取った場合、制御部２に対して所定の起動制御指示を行う起動制御部４とを備える。【選択図】        図１
2005252983.tif 000002
【特許請求の範囲】
【請求項１】
外部情報記憶媒体に対する情報読取処理または情報書込処理を行う情報端末装置において、
少なくとも所定の起動制御指示によって停止状態を含む待機状態から起動状態に移行し、当該情報端末装置全体を制御する制御手段と、
間欠的に待機状態から起動状態に移行し、該起動状態時に、前記外部情報記憶媒体に対する情報読取処理を行い、該情報読取処理の結果をもとに前記制御手段に対して前記所定の起動制御指示を行う起動制御手段と、
を備えたことを特徴とする情報端末装置。
【請求項２】
前記起動制御手段は、間欠的に待機状態から起動状態に移行し、該起動状態時に、前記外部情報記憶媒体に対する情報読取処理を行い、該情報読取処理によって識別情報を読み取った場合、前記制御手段に対して前記所定の起動制御指示を行うことを特徴とする請求項１に記載の情報端末装置。
【請求項３】
前記起動制御手段は、前記外部情報記憶媒体に記憶される識別情報と前記制御手段の起動の有無とを関係付けた参照テーブルを有し、前記情報読取処理の結果と前記参照テーブルとの内容をもとに前記制御手段を起動するか否かを決定することを特徴とする請求項１に記載の情報端末装置。
【請求項４】
前記起動制御手段は、少なくとも前記外部情報記憶媒体に記憶される所定情報と前記制御手段の起動の有無とを関係付けた参照テーブルを有し、前記情報読取処理の結果と前記参照テーブルとの内容をもとに前記制御手段を起動するか否かを決定することを特徴とする請求項１に記載の情報端末装置。
【請求項５】
前記起動制御手段は、前記情報端末装置の移動速度に応じて間欠状態が設定あるいは変更されることを特徴とする請求項１〜４のいずれか一つに記載の情報端末装置。
【請求項６】
前記制御手段は、前記所定の起動制御指示によって起動状態に移行した場合、該制御手段が起動した旨を出力する制御を行うことを特徴とする請求項１〜５のいずれか一つに記載の情報端末装置。
【請求項７】
前記起動制御手段は、前記制御手段内に含まれ、該制御手段とは独立して動作することを特徴とする請求項１〜６のいずれか一つに記載の情報端末装置。
【発明の詳細な説明】
【技術分野】
【０００１】
この発明は、所定の交信領域内に存在する外部情報記憶媒体に対して無線通信を行い、該無線通信によって送受信される所定の電波を介して、この外部情報記憶媒体に記憶された情報を読み取り、またはこの外部情報記憶媒体に情報を書き込む情報端末装置に関し、特に、外部情報記憶媒体が交信領域に存在する場合に起動することができ、装置全体の電力を効率的に使用することができる情報端末装置に関するものである。
【背景技術】
【０００２】
従来から、小型の集積回路とアンテナ手段とを組み合わせたＲＦＩＤ（Radio Frequency Identification）タグまたはカード状樹脂製板にＲＦＩＤを埋没した非接触ＩＣカード等の外部情報記憶媒体と、該外部情報記憶媒体との間で無線交信を行うことによって、外部情報記憶媒体に記憶された情報を読み取るあるいは外部情報記憶媒体に所望の情報を書き込むＲＦＩＤ処理装置を備えたＰＤＡ（Personal Digital Assistant）または非接触ＩＣカードリーダライタなどの情報端末装置を用いたＲＦＩＤシステムが開発されている。
【０００３】
これらのＲＦＩＤ処理装置の無線信号の送受信は、スタートスイッチの操作によって実行される（特許文献１参照）。また、このスタートスイッチを操作しなくても、絶えず外部情報記憶媒体を読み取る別の装置を設け、この装置を参照して外部情報記憶媒体に対する情報の読み取りあるいは書き込みを行うものがある（特許文献２参照）。
【０００４】
【特許文献１】特開２０００−１４８９３０号公報
【特許文献２】特開２０００−１２３１２０号公報
【発明の開示】
【発明が解決しようとする課題】
【０００５】
ところで、情報の読み取りまたは書き込みを行う度にスタートスイッチを操作することは煩雑であり、作業効率も悪くなるため、スタートスイッチの操作を省略し、ＲＦＩＤ処理部を常時稼働状態にし、常に外部情報記憶媒体に記憶された情報を読み取るあるいは書き込む処理を行うようにすることができるが、この場合、消費電力が大きくなり、携帯型の装置では、バッテリーの消耗による充電作業や処理の中断が発生し、逆に作業効率が低下するという問題点があった。
【０００６】
なお、上述した、絶えず外部情報記憶媒体を読取可能な装置を別途用いるものは、このための装置をあらたに設ける必要があるため、装置規模が大きくなり、携帯型の装置の柔軟性を損なうという問題点があった。
【０００７】
この発明は、上記事情に鑑みてなされたものであって、消費電力を抑えつつ、容易かつ確実に外部情報記憶媒体の情報の読み取りまたは書き込みを行うことができる情報端末装置を提供することを目的とする。
【課題を解決するための手段】
【０００８】
上述した課題を解決し、目的を達成するために、請求項１にかかる情報端末装置は、外部情報記憶媒体に対する情報読取処理または情報書込処理を行う情報端末装置において、少なくとも所定の起動制御指示によって停止状態を含む待機状態から起動状態に移行し、当該情報端末装置全体を制御する制御手段と、間欠的に待機状態から起動状態に移行し、該起動状態時に、前記外部情報記憶媒体に対する情報読取処理を行い、該情報読取処理の結果をもとに前記制御手段に対して前記所定の起動制御指示を行う起動制御手段と、を備えたことを特徴とする。
【０００９】
請求項２にかかる情報端末装置は、上記の発明において、前記起動制御手段は、間欠的に待機状態から起動状態に移行し、該起動状態時に、前記外部情報記憶媒体に対する情報読取処理を行い、該情報読取処理によって識別情報を読み取った場合、前記制御手段に対して前記所定の起動制御指示を行うことを特徴とする。
【００１０】
請求項３にかかる情報端末装置は、上記の発明において、前記起動制御手段は、前記外部情報記憶媒体に記憶される識別情報と前記制御手段の起動の有無とを関係付けた参照テーブルを有し、前記情報読取処理の結果と前記参照テーブルとの内容をもとに前記制御手段を起動するか否かを決定することを特徴とする。
【００１１】
請求項４にかかる情報端末装置は、上記の発明において、前記起動制御手段は、少なくとも前記外部情報記憶媒体に記憶される所定情報と前記制御手段の起動の有無とを関係付けた参照テーブルを有し、前記情報読取処理の結果と前記参照テーブルとの内容をもとに前記制御手段を起動するか否かを決定することを特徴とする。
【００１２】
請求項５にかかる情報端末装置は、上記の発明において、前記起動制御手段は、前記情報端末装置の移動速度に応じて間欠状態が設定あるいは変更されることを特徴とする。
【００１３】
請求項６にかかる情報端末装置は、上記の発明において、前記制御手段は、前記所定の起動制御指示によって起動状態に移行した場合、該制御手段が起動した旨を出力する制御を行うことを特徴とする。
【００１４】
請求項７にかかる情報端末装置は、上記の発明において、前記起動制御手段は、前記制御手段内に含まれ、該制御手段とは独立して動作することを特徴とする。
【発明の効果】
【００１５】
この発明によれば、起動制御手段が、間欠的に待機状態から起動状態に移行し、該起動状態時に、前記外部情報記憶媒体に対する情報読取処理を行い、該情報読取処理の結果をもとに前記制御手段に対して前記所定の起動制御指示を行うようにしているので、外部情報記憶媒体に対する情報の読み込みあるいは書き込みを確実に行うことができ、しかもスタートスイッチなどの操作をする必要がないので、操作性を向上させることができるとともに、起動制御手段自体が、待機状態から間欠的に起動し、所定の起動制御指示があった場合のみ制御手段および制御手段によって制御される表示部などが起動状態に移行するため、情報端末装置全体の消費電力を抑えることができるという効果を奏する。
【発明を実施するための最良の形態】
【００１６】
以下、添付図面を参照し、この発明にかかる情報端末装置の好適な実施の形態を詳細に説明する。なお、この実施の形態によって、この発明が限定されるものではない。
【００１７】
（実施の形態１）
図１は、この発明の実施の形態１である情報端末装置の構成を示す機能ブロック図である。図１において、この情報端末装置１は、この情報端末装置１全体を制御する制御部２と、アンテナ３ａを介して外部情報記憶媒体Ｍに対して情報の読み取りあるいは書き込みの処理を行うＲＦＩＤ処理部３と、制御部２とＲＦＩＤ処理部３との間に設けられ情報の読み取り結果をもとに制御部２の起動を制御する起動制御部４と、表示部５と、入力部６と、外部通信部７と、ストレージデバイス８と、音声入出力部９と、記憶部１０とを有する。起動制御部４、表示部５、入力部６、外部通信部７、ストレージデバイス８、音声入出力部９、および記憶部１０は制御部２に接続される。
【００１８】
起動制御部４は、間欠的に停止状態あるいは待機状態から起動状態に移行し、制御部２が停止状態あるいは待機状態である間、ＲＦＩＤ処理部３の起動を制御し、ＲＦＩＤ処理部３による情報の読み取り結果をもとに停止状態あるいは待機状態である制御部２の起動を制御し、その後、ＲＦＩＤ処理部３に対する制御を制御部２に移行する。
【００１９】
制御部２は、記憶部１０に記憶された処理プログラムを実行するＣＰＵを備える。停止状態あるいは待機状態の制御部２は、起動制御部４からの起動制御指示によって起動され、この起動後、ＲＦＩＤ処理部３、起動制御部４、表示部５、入力部６、外部通信部７、ストレージデバイス８、音声入出力部９、および記憶部１０の各部の動作を制御する。ここで、制御部２は、これら各部に対する一連の処理が終了すると、再び停止状態あるいは待機状態に移行するとともに、ＲＦＩＤ処理部３の制御を起動制御部４に移行する。
【００２０】
ＲＦＩＤ処理部３は、アンテナ３ａを介して外部情報記憶媒体Ｍに対して給電信号あるいは制御信号を送信するとともに、この外部情報記憶媒体Ｍから送信された信号を受信する所定の所定手順を実行する。すなわち、ＲＦＩＤ処理部３は、外部情報記憶媒体Ｍに対する情報読取処理および情報書込処理を行う。
【００２１】
ここで、情報読取処理時にアンテナ３ａから外部情報記憶媒体Ｍに送信される制御信号は、読取指示情報であり、外部情報記憶媒体Ｍに記憶された情報をＲＦＩＤ処理部３に対して送信するように指示するものである。外部情報記憶媒体Ｍは、所定の交信領域を持つアンテナ手段によってこの制御信号を含む給電信号を検知し、この給電信号に基づいて駆動電力を得るとともに、読取指示情報をもとに外部情報記憶媒体Ｍ内に記憶された情報をアンテナ手段を介してＲＦＩＤ処理部３に返信する。ＲＦＩＤ処理部３は、外部情報記憶媒体Ｍから送信された無線信号を受信し、外部情報記憶媒体Ｍから送られた情報を検出する。
【００２２】
また、情報書込処理時にアンテナ３ａから外部情報記憶媒体Ｍに送信される制御信号は、たとえば入力部６等から入力された書込情報と、外部情報記憶媒体Ｍに対して書込情報の書き込みを指示する書込指示情報である。外部情報記憶媒体Ｍは、所定の交信領域を持つアンテナ手段によってこの制御信号を含む給電信号を検知し、この給電信号に基づいて駆動電力を得るととともに、書込指示情報をもとに外部情報記憶媒体Ｍ内に指示された書込情報を記憶する。
【００２３】
表示部５は、たとえば液晶表示装置、有機エレクトロルミネッセンス表示装置、電流が供給される間、発光を継続する発光ダイオードを用いて実現され、制御部２の制御のもと、少なくともＲＦＩＤ処理部３による外部情報記憶媒体Ｍに対する読取処理の完了を表示出力する。また、表示部５は、情報端末装置１の処理に関するエラーが発生した場合、制御部２の制御のもと、このエラーを報知するエラー表示を表示出力する。
【００２４】
入力部６は、ＲＦＩＤ処理部３に対し、外部情報記憶媒体Ｍに記憶された情報の読取を指示する読取指示情報や、外部情報記憶媒体Ｍに書き込むべき書込情報および書込情報を指示する書込指示情報などを入力するための複数の入力キー等を有する。入力部６は、読取指示情報、書込情報、書込指示情報等の入力を受け付けるとともに、受け付けた各情報を制御部２に出力する。
【００２５】
外部通信部７は、ＲＳ２３２Ｃ、ＵＳＢ、またはＩＥＥＥ１３９４等の外部通信用インターフェース、あるいはＩｒＤＡ規格に準拠した赤外線通信インターフェース等を用いて実現され、図示しない外部のホストコンピュータ等に対する情報通信を行う。
【００２６】
ストレージデバイス８は、制御部２の制御のもと、外部から挿入されたスマートメディア、メモリスティック、マルチメディアカード、またはＳＤメモリカード等の記憶媒体を駆動させて、この記憶媒体に記憶される情報を読み取る。さらに、ストレージデバイス８は、制御部２の制御のもと、制御部２から入力された情報を記憶媒体に対して記録する。なお、記憶媒体は、ストレージデバイス８に対して着脱可能である。
【００２７】
音声入出力部９は、マイクロフォンおよびスピーカーを用いて実現される。音声入出力部９は、制御部２の制御のもと、外部からの音声情報を入力するとともに、入力した音声情報を制御部２に送出する。また、音声入出力部９は、制御部２の制御のもと、制御部２から入力された音声情報を外部に出力する。なお、音声入出力部９は、制御部２の制御のもと、各部による処理の開始または完了を報知する所定の報知音を出力し、または、情報端末装置１の処理に関するエラーが発生した場合、制御部２の制御のもと、このエラーを報知する所定のエラー音を出力する。この場合、音声入出力部９は、上述した表示部５によるエラー表示の出力と同期して、このエラー表示に対応するエラー音を出力する。
【００２８】
記憶部１０は、処理プログラム等の各種データが予め記憶されたＲＯＭと、各処理の演算パラメータ、外部情報記憶媒体Ｍから読み取られた各種情報あるいは音声情報等を記憶するＲＡＭとを用いて実現される。
【００２９】
ここで、主に起動制御部４を中心とした処理について説明する。この起動制御部４によって、情報端末装置１は外部情報記憶媒体Ｍの存在を自動的に検出し、情報読取処理または情報書込処理等の処理を行う。図２は、起動制御部４による制御処理手順を示すフローチャートである。まず、待機状態である（ステップＳ１０１）起動制御部４は、所定時間が経過したか否かを判断する（ステップＳ１０２）。ここで、待機状態とは、少なくとも所定時間の経過を判断することができる状態をいう。また、所定時間とは、ＲＦＩＤ処理部３の構造、外部情報記憶媒体Ｍの構造や、ユーザの使用態様などによって規定されるが、情報端末装置１の移動に伴って、アンテナ３ａに供給される送信電力などによって決定される所定の交信領域が移動する際に、情報端末装置１とこの所定の交信領域内の外部情報記憶媒体Ｍとの間で外部情報記憶媒体Ｍの存在を検出できる間隔である。この間隔は、情報端末装置１の移動速度が速いものであればそれに対応して短く設定される。また、この間隔の設定は、短ければ短いほど好ましいが、消費電力との関係で適切な間隔に設定される。また、この間隔は、移動速度に応じて適宜動的に変更できるようにしてもよい。
【００３０】
その後、所定時間を経過した場合（ステップＳ１０２，ＹＥＳ）には、起動制御部４を起動し（ステップＳ１０３）、起動制御部４は、さらにＲＦＩＤ処理部３を起動し（ステップＳ１０４）、その後、ＲＦＩＤ処理部３に対して識別情報の読取処理を実行させる（ステップＳ１０５）。この識別情報とは、外部情報記憶媒体Ｍに固有のＩＤである。一方、所定時間を経過しない場合（ステップＳ１０２，ＮＯ）には、所定時間が経過するまで、ステップＳ１０２の判断処理を繰り返す。
【００３１】
その後、起動制御部４は、ＲＦＩＤ処理部３が、識別情報を取得したか否かを判断する（ステップＳ１０６）。識別情報を取得した場合（ステップＳ１０６，ＹＥＳ）には、制御部２を停止状態あるいは待機状態から起動状態に移行させ（ステップＳ１０７）、ＲＦＩＤ処理部３に対する制御を制御部２に移行する（ステップＳ１０８）。その後、制御部２からＲＦＩＤ処理部３に対する制御の移行指示を受けたか否かを判断し（ステップＳ１０９）、制御の移行指示を受けた場合（ステップＳ１０９，ＹＥＳ）に、ＲＦＩＤ処理部３を停止状態あるいは待機状態に移行させ（ステップＳ１１０）、ステップＳ１０１に移行して起動制御部４を待機状態に移行し、上述した処理を繰り返す。
【００３２】
一方、識別情報を取得できなかった場合（ステップＳ１０６，ＮＯ）には、ＲＦＩＤ処理部３を停止状態あるいは待機状態に移行させ（ステップＳ１１０）、ステップＳ１０１に移行して起動制御部４を待機状態に移行し、上述した処理を繰り返す。
【００３３】
この実施の形態１では、起動制御部４がＲＦＩＤ処理部３を制御して外部情報記憶媒体Ｍの識別情報を検出することよって外部情報記憶媒体Ｍの存在の有無を判断し、存在した場合のみ制御部２を停止状態あるいは待機状態から起動状態に移行するようにしているため、スタートスイッチなどの操作をなくすことができ、操作性を向上させることができる。
【００３４】
また、この実施の形態１では、起動制御部４が待機状態から間欠的に起動するようにしているので、起動制御部４自体の消費電力を抑えることができるとともに、ＲＦＩＤ処理部３もこれに同期して起動および処理を行うようにしているので、ＲＦＩＤ処理部３の消費電力を抑えることができる。
【００３５】
さらに、制御部２および制御部２によって制御される表示部などは、通常、停止状態あるいは待機状態であり、起動制御部４によって制御が移行されたときのみに起動あるいは処理が実行されるため、情報端末装置１全体の消費電力を抑えることができる。
【００３６】
（実施の形態２）
つぎに、この発明の実施の形態２について説明する。上述した実施の形態１では、識別情報を検出した場合、常に制御部２を起動させるようにしていたが、この実施の形態２では、所定の識別情報を検出したときのみ、制御部２を起動させるようにしている。
【００３７】
図３は、この発明の実施の形態２である情報端末装置の構成を示す機能ブロック図である。図３において、この情報端末装置１１は、起動制御部４に対応する起動制御部１４が参照テーブル１４ａを有する。その他の構成は実施の形態１と同じであり、同一構成部分には同一符号を付している。
【００３８】
図４は、起動制御部１４の制御処理手順を示すフローチャートである。図４において、まず、実施の形態１と同様に、待機状態である（ステップＳ２０１）起動制御部１４は、所定時間が経過したか否かを判断する（ステップＳ２０２）。
【００３９】
その後、所定時間を経過した場合（ステップＳ２０２，ＹＥＳ）には、起動制御部１４を起動し（ステップＳ２０３）、起動制御部１４は、さらにＲＦＩＤ処理部３を起動し（ステップＳ２０４）、その後、ＲＦＩＤ処理部３に対して識別情報の読取処理を実行させる（ステップＳ２０５）。一方、所定時間を経過しない場合（ステップＳ２０２，ＮＯ）には、所定時間が経過するまで、ステップＳ２０２の判断処理を繰り返す。
【００４０】
その後、起動制御部１４は、ＲＦＩＤ処理部３が、識別情報を取得したか否かを判断する（ステップＳ２０６）。識別情報を取得した場合（ステップＳ２０６，ＹＥＳ）、参照テーブル１４ａを参照し（ステップＳ２０７）、取得した識別情報が制御部２を停止状態あるいは待機状態から起動状態に移行させるものであるか否かを判断する（ステップＳ２０８）。たとえば、図５は参照テーブル１４ａの一例を示す図であり、識別情報「Ａ」、「Ｂ」、「Ｃ」、「その他」に対してそれぞれ、「○」、「×」、「○」「×」が記述され、「○」の場合には、制御部２を停止状態あるいは待機状態から起動状態に移行させることを意味し、「×」の場合には、制御部２を停止状態あるいは待機状態のままに維持させることを意味する。すなわち、取得した識別情報の中から、所定の識別情報を有する外部情報記憶媒体Ｍを選択して処理するように予め決定している。なお、識別情報「Ａ」、「Ｂ」、「Ｃ」は、情報端末装置１１が通常取り扱う外部情報記憶媒体Ｍの識別情報であり、参照テーブル１４ａでは、このうち識別情報「Ｂ」をもつ外部情報記憶媒体Ｍについては処理しないことを予め設定していることになる。
【００４１】
その後、取得した識別情報が制御部２を停止状態あるいは待機状態から起動状態に移行させるものである場合（ステップＳ２０８、ＹＥＳ）には、制御部２に対して起動制御指示を送り、制御部２を起動させ（ステップＳ２０９）、さらにＲＦＩＤ処理部３に対する制御を制御部２に移行する（ステップＳ２１０）。その後、制御部２からＲＦＩＤ処理部３に対する制御の移行指示を受けたか否かを判断し（ステップＳ２１１）、制御の移行指示を受けた場合（ステップＳ２１１，ＹＥＳ）に、ＲＦＩＤ処理部３を停止状態あるいは待機状態に移行させ（ステップＳ２１２）、ステップＳ２０１に移行して起動制御部１４を待機状態に移行し、上述した処理を繰り返す。
【００４２】
一方、取得した識別情報が制御部２を停止状態あるいは待機状態から起動状態に移行させるものではない場合（ステップＳ２０８，ＮＯ）および識別情報を取得できなかった場合（ステップＳ２０６，ＮＯ）には、ＲＦＩＤ処理部３を停止状態あるいは待機状態に移行させ（ステップＳ２１２）、ステップＳ２０１に移行して起動制御部１４を待機状態に移行し、上述した処理を繰り返す。
【００４３】
この実施の形態２では、起動制御部１４がＲＦＩＤ処理部３を制御して外部情報記憶媒体Ｍの識別情報識別情報および予め設定された参照テーブル１４ａの情報をもとに、制御部２を停止状態あるいは待機状態から起動状態に移行するか否かを決定しているため、スタートスイッチなどの操作をなくすことができ、操作性を向上させることができる。特に、処理したい外部情報記憶媒体Ｍに対応する識別情報を選択的に決定しているため、実施の形態１に比してさらに操作性を向上することができるとともに、無駄な制御部２の起動をなくし、制御部２およびこの制御部２を含む情報端末装置１１全体の消費電力をさらに抑えることができる。
【００４４】
また、実施の形態１と同様に、起動制御部１４が待機状態から間欠的に起動するようにしているので、起動制御部１４自体の消費電力を抑えることができるとともに、ＲＦＩＤ処理部３もこれに同期して起動および処理を行うようにしているので、ＲＦＩＤ処理部３の消費電力を抑えることができる。
【００４５】
また、外部情報記憶媒体Ｍを情報端末装置１１の起動用キーとして用いる場合、情報端末装置１１は所定の識別情報をもつキーに対してのみ起動するので、セキュリティを高めることが可能となる。
【００４６】
（実施の形態３）
つぎに、この発明の実施の形態３について説明する。上述した実施の形態２では、予め決定した識別情報である場合に制御部２を起動させるようにしていたが、この実施の形態３では、さらにこの識別情報と外部情報記憶媒体Ｍ内の指定されたセクタ内の情報との組み合わせによって制御部２を起動させるか否かを決定するようにしている。
【００４７】
図６は、この発明の実施の形態３である情報端末装置の構成を示す機能ブロック図である。図６において、この情報端末装置２１は、起動制御部１４に対応する起動制御部２４がさらに参照テーブル２４ａを有する。その他の構成は実施の形態２と同じであり、同一構成部分には同一符号を付している。
【００４８】
図７は、起動制御部２４の制御処理手順を示すフローチャートである。図７において、まず、実施の形態２と同様に、待機状態である（ステップＳ３０１）起動制御部２４は、所定時間が経過したか否かを判断する（ステップＳ３０２）。
【００４９】
その後、所定時間を経過した場合（ステップＳ３０２，ＹＥＳ）には、起動制御部２４を起動し（ステップＳ３０３）、起動制御部２４は、さらにＲＦＩＤ処理部３を起動し（ステップＳ３０４）、その後、ＲＦＩＤ処理部３に対して識別情報の読取処理を実行させる（ステップＳ３０５）。一方、所定時間を経過しない場合（ステップＳ３０２，ＮＯ）には、所定時間が経過するまで、ステップＳ３０２の判断処理を繰り返す。
【００５０】
その後、起動制御部２４は、ＲＦＩＤ処理部３が、識別情報を取得したか否かを判断する（ステップＳ３０６）。識別情報を取得した場合（ステップＳ３０６，ＹＥＳ）、参照テーブル１４ａを参照し（ステップＳ３０７）、取得した識別情報が制御部２を停止状態あるいは待機状態から起動状態に移行させるものであるか否かを判断する（ステップＳ３０８）。たとえば、図８の参照テーブル１４ａでは、識別情報「Ａ」、「Ｃ」が、制御部２を停止状態あるいは待機状態から起動状態に移行させるものと判断される。
【００５１】
その後、取得した識別情報が制御部２を停止状態あるいは待機状態から起動状態に移行させるものである場合（ステップＳ３０８、ＹＥＳ）には、ＲＦＩＤ処理部３に対し、さらにこの取得した識別情報を有する外部情報記憶媒体Ｍの所定セクタの読取処理を指示する（ステップＳ３０９）。その後、参照テーブル２４ａを参照し（ステップＳ３１０）、所定セクタからの取得値が、制御部２を停止状態あるいは待機状態から起動状態に移行させるものであるか否かを判断する（ステップＳ３１１）。たとえば、図８の参照テーブル２４ａでは、値が「１００」以上である場合に、制御部２を停止状態あるいは待機状態から起動状態に移行させるものと判断している。
【００５２】
その後、所定セクタからの取得値が、制御部２を停止状態あるいは待機状態から起動状態に移行させるものである場合（ステップＳ３１１，ＹＥＳ）には、制御部２に対して起動制御指示を送り、制御部２を起動させ（ステップＳ３１２）、さらにＲＦＩＤ処理部３に対する制御を制御部２に移行する（ステップＳ３１３）。その後、制御部２からＲＦＩＤ処理部３に対する制御の移行指示を受けたか否かを判断し（ステップＳ３１４）、制御の移行指示を受けた場合（ステップＳ３１４，ＹＥＳ）に、ＲＦＩＤ処理部３を停止状態あるいは待機状態に移行させ（ステップＳ３１５）、ステップＳ３０１に移行して起動制御部２４を待機状態に移行し、上述した処理を繰り返す。
【００５３】
一方、取得した識別情報が制御部２を停止状態あるいは待機状態から起動状態に移行させるものではない場合（ステップＳ３０８，ＮＯ）、所定セクタからの取得値が、制御部２を停止状態あるいは待機状態から起動状態に移行させるものではない場合（ステップＳ３１１，ＮＯ）、および識別情報を取得できなかった場合（ステップＳ３０６，ＮＯ）には、ＲＦＩＤ処理部３を停止状態あるいは待機状態に移行させ（ステップＳ３１５）、ステップＳ３０１に移行して起動制御部２４を待機状態に移行し、上述した処理を繰り返す。
【００５４】
なお、上述した実施の形態３では、参照テーブル１４ａ，２４ａをそれぞれ参照して２段階で判断を行っていたが、識別情報を取得した場合に、一度に所定セクタの情報を得るようにしてもよい。この場合、参照テーブル１４ａ，２４ａを一度に参照することになる。
【００５５】
この実施の形態３では、起動制御部２４がＲＦＩＤ処理部３を制御して外部情報記憶媒体Ｍの識別情報、所定セクタの情報、および予め設定された参照テーブル１４ａ，２４ａの情報をもとに、制御部２を停止状態あるいは待機状態から起動状態に移行するか否かを決定しているため、スタートスイッチなどの操作をなくすことができ、操作性を向上させることができる。特に、処理したい外部情報記憶媒体Ｍに対応する識別情報および所定セクタの情報をもとに制御部２の起動を選択的に決定しているため、実施の形態１，２に比して操作性をさらに向上することができるとともに、無駄な制御部２の起動をなくし、制御部２およびこの制御部２を含む情報端末装置２１全体の消費電力をさらに抑えることができる。
【００５６】
また、実施の形態１，２と同様に、起動制御部２４が待機状態から間欠的に起動するようにしているので、起動制御部２４自体の消費電力を抑えることができるとともに、ＲＦＩＤ処理部３もこれに同期して起動および処理を行うようにしているので、ＲＦＩＤ処理部３の消費電力を抑えることができる。
【００５７】
（実施の形態４）
つぎに、この発明の実施の形態４について説明する。上述した実施の形態１〜３では、いずれも起動制御部４，１４，２４がＲＦＩＤ処理部３と制御部２との間に配置され、制御部２とは物理的に独立した構成としたが、この実施の形態４では、起動制御部４，１４，２４の構成を制御部２内に設けている。
【００５８】
図９は、この発明の実施の形態４である情報端末装置の構成を示す機能ブロック図である。図９において、この情報端末装置３１は、起動制御部４に対応する起動制御部３４が制御部２内に設けられている。その他の構成は、実施の形態１と同じであり、同一構成部分には同一符号を付している。
【００５９】
この起動制御部３４は、実施の形態１に示した起動制御部４と同じ動作を行う。起動制御部３４が制御部２内に設けられることによって、配線などの回路構造が簡単になるとともに、小型化を促進し、共通電源を用いた一つの基板あるいは一つのチップとして実現できるため、消費電力も抑えることができる。なお、起動制御部３４とこの起動制御部３４を除いた制御部２とは独立して動作する構成となっている。
【００６０】
なお、上述した実施の形態４では、実施の形態１に対応した構成を示したが、これに限らず、実施の形態２，３に示した起動制御部１４，２４を、起動制御部３４に置き換えて配置するようにしてもよい。
【図面の簡単な説明】
【００６１】
【図１】この発明の実施の形態１である情報端末装置の構成を示す機能ブロック図である。
【図２】図１に示した起動制御部の制御処理手順を示すフローチャートである。
【図３】この発明の実施の形態２である情報端末装置の構成を示す機能ブロック図である。
【図４】図３に示した起動制御部の制御処理手順を示すフローチャートである。
【図５】図３に示した起動制御部内の参照テーブルの内容を示す図である。
【図６】この発明の実施の形態３である情報端末装置の構成を示すブロック図である。
【図７】図６に示した起動制御部の制御処理手順を示すフローチャートである。
【図８】図６に示した起動制御部内の参照テーブルの内容を示す図である。
【図９】この発明の実施の形態４である情報端末装置の構成を示す機能ブロック図である。
【符号の説明】
【００６２】
１，１１，２１，３１  情報端末装置
２  制御部
３ａ  アンテナ
３  ＲＦＩＤ処理部
４，１４，２４，３４  起動制御部
５  表示部
６  入力部
７  外部通信部
８  ストレージデバイス
９  音声入出力部
１０  記憶部
１４ａ，２４ａ  参照テーブル
Ｍ  外部情報記憶媒体
【図１】
2005252983.tif 000003
【図２】
2005252983.tif 000004
【図３】
2005252983.tif 000005
【図４】
2005252983.tif 000006
【図５】
2005252983.tif 000007
【図６】
2005252983.tif 000008
【図７】
2005252983.tif 000009
【図８】
2005252983.tif 000010
【図９】
2005252983.tif 000011